(57)【要約】      （修正有）【課題】他の電子機器から、電源ＯＦＦが可能である旨のコマンドが送信されても電子機器の電源ＯＮが継続されることが無いように、電源制御を適切に行い、電子機器（ＢＤレコーダ）の電力消費を低減する。【解決手段】電子機器は、自機器の状態がアクティブであるかインアクティブであるかを検出する状態検出部を備える。また、録画の終了を検出する録画終了検出部を備える。また、前記録画の終了が検出された場合に、前記検出された自機器の状態がインアクティブであれば自機器の電源をＯＦＦにするよう制御する電源制御部を備える。【選択図】図１
2012174060.tif 000002
【特許請求の範囲】
【請求項１】
自機器の状態がアクティブであるかインアクティブであるかを検出する状態検出部と、
録画の終了を検出する録画終了検出部と、
前記録画の終了が検出された場合に、前記検出された自機器の状態がインアクティブであれば自機器の電源をＯＦＦにするよう制御する電源制御部を備える電子機器。
【請求項２】
前記検出された自機器の状態を保持する保持部を備える請求項１に記載の電子機器。
【請求項３】
自機器の状態がアクティブであるかインアクティブであるかを検出する状態検出部と、
前記自機器の状態がインアクティブに変化したことを検出する変化検出部と、
前記自機器の電源をＯＦＦにすることが可能であるかを検出し、電源をＯＦＦにすることが可能な場合は前記自機器の電源をＯＦＦにするよう制御する電源制御部を備える電子機器。
【請求項４】
前記自機器の電源をＯＦＦにすることが可能な場合に、予め決められた時間経過後に前記自機器の電源のＯＦＦ制御を行なう請求項３に記載の電子機器。
【請求項５】
前記自機器の状態はＨＤＭＩ−ＣＥＣ規格に基づいて検出される請求項１または３のいずれかに記載の電子機器。
【請求項６】
自機器の状態がアクティブであるかインアクティブであるかを検出するステップと、
録画の終了を検出するステップと、
前記録画の終了が検出された場合に、前記検出された自機器の状態がインアクティブであれば自機器の電源をＯＦＦにするよう制御するステップを備える電子機器の制御方法。
【請求項７】
自機器の状態がアクティブであるかインアクティブであるかを検出するステップと、
前記自機器の状態がインアクティブに変化したことを検出するステップと、
前記自機器の電源をＯＦＦにすることが可能であるかを検出し、電源をＯＦＦにすることが可能な場合は前記自機器の電源をＯＦＦにするよう制御するステップを備える電子機器の制御方法。
【請求項８】
自機器に接続された映像表示装置が電源ＯＦＦまたはスタンバイ状態であるかを検出する状態検出部と、
自機器の電源をＯＦＦにすることが可能であるかを検出し、電源をＯＦＦにすることが可能な場合に、前記映像表示装置が電源ＯＦＦまたはスタンバイ状態に変化した場合に、前記自機器の電源をＯＦＦにするよう制御する電源制御部を備える電子機器。
【請求項９】
自機器に接続された映像表示装置が電源ＯＦＦまたはスタンバイ状態であるかを検出する状態検出部と、
自機器の電源をＯＦＦにすることが可能であるかを検出し、電源をＯＦＦにすることが可能な状態に変化した場合に前記映像表示装置が電源ＯＦＦまたはスタンバイ状態である場合に、前記自機器の電源をＯＦＦにするよう制御する電源制御部を備える電子機器。
【発明の詳細な説明】
【技術分野】
【０００１】
本発明の実施形態は、電子機器、電子機器の制御方法に関する。
【背景技術】
【０００２】
近年、ＢＤ（Blu-ray Disc、ブルーレイディスク）、ＤＶＤ（Digital Versatile Disc、デジタルバーサタイルディスク）、ＨＤＤ（Hard disk drive、ハードディスクドライブ）等の記録媒体を備え、これらの記録媒体に映像コンテンツ等を録画するレコーダやＰＣ（Personal computer、パーソナルコンピュータ（パソコン））等の電子機器が普及している。
【０００３】
また、これらの電子機器の中にはＨＤＭＩ（High-Definition Multimedia Interface、高解像度マルチメディアインターフェース）規格のＣＥＣ（Consumer Electronics Control）、すなわちＨＤＭＩ−ＣＥＣ規格、に準拠した製品がある。
【０００４】
ＣＥＣは、ＨＤＭＩで規格化されている機器制御信号と制御プロトコルである。
ＨＤＭＩは、パソコンとディスプレイの接続に使われるデジタルインターフェースのＤＶＩをベースにし、これを発展させた規格である。ＨＤＭＩ規格は１本のケーブルで映像・音声・制御信号を合わせて送受信するので、取り回しが容易になっている。
【０００５】
また、ＨＤＭＩ規格を用いることによって、制御信号を双方向に伝送させることも可能である。例えば、電子機器間をＨＤＭＩケーブルで中継させることで１台のリモコンで複数の電子機器を制御することができる。
【０００６】
これらのＨＤＭＩ−ＣＥＣ規格に準拠するレコーダ（例えば、ＢＤレコーダ）やＰＣ等の電子機器は、テレビ（ＴＶ）や他の電子機器とＨＤＭＩケーブルで接続され、上記のように、例えば、１台のリモコンで複数の電子機器を制御することができる。
【０００７】
そして、ＴＶから送信されたコマンドで電子機器（ＢＤレコーダ）の電源を制御することができる。
しかし、例えば、電子機器（ＢＤレコーダ）が録画動作中の場合は、ＴＶ等の他の電子機器から電源ＯＦＦが可能である旨のコマンドが送信されても、電子機器（ＢＤレコーダ）の電源はＯＦＦにすることができないことがある。
【０００８】
このような場合には、上記ＨＤＭＩ−ＣＥＣ規格に準拠して接続されている他の電子機器から、電子機器（ＢＤレコーダ）の電源をＯＦＦにすることが可能である旨のコマンドが送信されているにも係わらず、電子機器（ＢＤレコーダ）の電源ＯＮが継続され、電力が消費される恐れがあった。
【０００９】
このため、電源制御を適切に行い、電子機器（ＢＤレコーダ）の電力消費を低減することが課題となっていた。
【先行技術文献】
【特許文献】
【００１０】
【特許文献１】特開２００９−２９６０４３号公報
【特許文献２】特開２００９−１６８９７号公報
【発明の概要】
【発明が解決しようとする課題】
【００１１】
他の電子機器から、電源ＯＦＦが可能である旨のコマンドが送信されても電子機器の電源ＯＮが継続されることがあった。
このため、電源制御を適切に行い、電子機器（ＢＤレコーダ）の電力消費を低減することが課題となっていた。
【課題を解決するための手段】
【００１２】
実施形態の電子機器は、自機器の状態がアクティブであるかインアクティブであるかを検出する状態検出部を備える。
また、録画の終了を検出する録画終了検出部を備える。
また、前記録画の終了が検出された場合に、前記検出された自機器の状態がインアクティブであれば自機器の電源をＯＦＦにするよう制御する電源制御部を備える。
【図面の簡単な説明】
【００１３】
【図１】実施形態に係わる電子機器（ＢＤレコーダ）がＴＶやゲーム機等の他の電子機器とＨＤＭＩケーブルで接続されたシステムを示す図。
【図２】実施形態に係わる電子機器（ＢＤレコーダ）の構成の一例を示すブロック図。
【図３】実施形態に係わる電子機器（ＢＤレコーダ）の機能構成を説明する図。
【図４】実施形態に係わる電子機器（ＢＤレコーダ）のアクティブ制御部において、アクティブ状態（アクティブ／インアクティブ）を検出する検出ルーチンの一例を説明する図。
【図５】実施形態に係わる電子機器（ＢＤレコーダ）のアクティブ制御部におけるアクティブ状態（アクティブ／インアクティブ）の検出に係る処理を説明するフローチャート。
【図６】実施形態に係わる電子機器（ＢＤレコーダ）の動作を説明するフローチャート。
【図７】他の実施形態に係わる電子機器（ＢＤレコーダ）の動作を説明するフローチャート。
【発明を実施するための形態】
【００１４】
以下、図面を参照し、実施の形態を説明する。
図１は、実施形態に係わる電子機器（ＢＤレコーダ）がＴＶやゲーム機等の他の電子機器とＨＤＭＩケーブルで接続されたシステムを示す図である。
符号１は電子機器（ＴＶ）、符号１８は電子機器（ゲーム機）、符号１８ｂはゲームコントローラ、符号３０は電子機器（ＢＤレコーダ）である。
電子機器（ゲーム機）は、ユーザによってゲームコントローラ１８ａが操作されることによって動作する。
この実施の形態においては、電子機器（ＢＤレコーダ）３０は、ＨＤＭＩケーブル３０ｂを介して電子機器（ＴＶ）１に接続されている。また、電子機器（ゲーム機）１８は、ＨＤＭＩケーブル１８ｂを介して電子機器（ＴＶ）１に接続されている。
【００１５】
すなわち、これらの電子機器（ＴＶ）１、電子機器（ゲーム機）１８、電子機器（ＢＤレコーダ）３０は、上記ＨＤＭＩ−ＣＥＣ規格に準拠した関係で接続されている。
【００１６】
図２は、実施形態に係わる電子機器（ＢＤレコーダ）の構成の一例を示すブロック図である。
符号２はアンテナ、符号３ａはチューナ、符号４は信号処理部、符号５は映像処理部、符号６は音声処理部、符号１０はバスである。
符号１１は制御部、符号１２はＣＰＵ、符号１３はＲＡＭ、符号１４はＲＯＭ、符号１５はフラッシュメモリ、符号１６は録画再生部（ＢＤ、ＨＤＤ）である。
符号１７はＨＤＭＩ端子）、符号１９は操作受信部、符号２０は操作機器（リモートコントローラ）である。
符号２１は送受信部、符号２６はインターネットである。
符号２５ａ、２５ｂは放送番組を放送する放送局である。放送番組は放送局２５ａ、２５ｂ等、複数の放送局から複数の番組が放送される。
アンテナ２は電子機器（ＢＤレコーダ）３０に接続される。符号３ａはチューナである。チューナは単数でも良いし、複数でも良い。
複数の放送局２５ａ、２５ｂ等から放送波の形態で放送された複数の番組（放送信号）が、アンテナ２で受信され、チューナ３ａに送信される。チューナ３ａでは、番組（放送信号）を選局受信し、信号処理部４へ出力する。
【００１７】
ここでは、制御部１１のＭＰＵ１２は、チューナ３ａ、信号処理部４、映像処理部５、音声処理部６、ＲＡＭ１３、ＲＯＭ１４、フラッシュメモリ１５、録画再生部（ＢＤ、ＨＤＤ）１６、ＨＤＭＩ端子１７、操作受信部１９、操作機器（リモートコントローラ）２０、送受信部２１と、それぞれ、バス１０を介して接続され、これらを制御する。
【００１８】
信号処理部４は、チューナ３ａで選局され、番組に係る映像信号にデコード処理を施し、トランスポートストリーム（ＴＳ）のフォーマットで、録画再生部（ＢＤ、ＨＤＤ）１６へ映像信号を出力する。
【００１９】
録画再生部（ＢＤ、ＨＤＤ）１６は、例えばＢＤ（ブルーレイディスク）やＨＤＤ（ハードディスク装置）等の記録媒体を備えた大容量の録画再生装置（映像信号記録再生装置）であり、ここでは電子機器（ＢＤレコーダ）３０に構成される。録画再生部（ＢＤ、ＨＤＤ）１６はＳＳＤでも構成可能である。
【００２０】
録画再生部（ＢＤ、ＨＤＤ）１６は、トランスポートストリーム（ＴＳ）のフォーマットで送信された映像信号を連続的に受信し、受信した放送番組を録画再生部（ＢＤ、ＨＤＤ）１６に録画する。
【００２１】
録画再生部（ＢＤ、ＨＤＤ）１６に録画された放送番組は、適宜再生可能である。録画された映像信号の中から再生のために抽出された番組に係る映像信号は信号処理部４でデコード処理され、それぞれ音声信号と映像信号を抽出し、出力する。音声信号は音声処理部６に出力される。映像信号は映像処理部５に出力される。
【００２２】
音声処理部６は出力された音声信号にデコード処理を行い、ＨＤＭＩケーブル３０を介して電子機器（ＴＶ）１に出力する。また、電子機器（ＴＶ）１は図示しないスピーカを備え、上記デコード処理された音声信号を受信し、音声に変換して出力する。
【００２３】
映像処理部５は出力された映像信号にデコード処理を行い、表示処理部７へ出力する。表示処理部７は色や表示位置等の表示処理を行い、ＨＤＭＩケーブル３０を介して電子機器（ＴＶ）１に構成される表示装置（図示せず）に出力する。
【００２４】
上記のように、この実施の形態においては、電子機器（ＢＤレコーダ）３０はＨＤＭＩ端子１７を介し、ＨＤＭＩ（登録商標）ケーブル１８ｂで電子機器（ＴＶ）１と接続される。
【００２５】
また、電子機器（ＢＤレコーダ）３０は、操作受信部１９を介して、リモートコントローラやキーボード等の操作機器２０が接続され、映像出力装置１のユーザ操作が可能である。
【００２６】
また、電子機器（ＢＤレコーダ）３０は、送受信部２１を介して、インターネット２６に接続され、インターネット通信が可能である。
図３は、実施形態に係わる電子機器（ＢＤレコーダ）の機能構成を説明する図である。
上記のように、この実施形態に係わる電子機器（ＢＤレコーダ）３０は、ＨＤＭＩ端子１７を備え、ＨＤＭＩ端子１７に接続されたＨＤＭＩケーブル３０ｂを介して電子機器（ＴＶ）１に接続される。
【００２７】
符号３１はモード管理部、符号３２は電源制御部、符号３３はアクティブ制御部、符号３４はＨＤＭＩ−ＣＥＣ制御部である。
ＨＤＭＩ−ＣＥＣ制御部３４は、図に示すように、ＨＤＭＩ−ＣＥＣ信号でＨＤＭＩ端子１７に接続される。
モード管理部３１は、例えば、電子機器（ＢＤレコーダ）３０がＢＤやＨＤＤに記録されているコンテンツの再生を開始した、あるいは再生中である、あるいは再生を終了した、あるいはＢＤやＨＤＤにコンテンツの記録（録画）を開始した、あるいは録画中である、あるいは録画を終了した等の、動作モードを検出する。
【００２８】
例えば、録画の終了を検出した場合に、電子機器（ＢＤレコーダ）３０の電源をＯＦＦにできると判断することが可能である。
そして、後述するように、録画の終了を検出することによって、自機器である電子機器（ＢＤレコーダ）３０自身の電源をＯＦＦにすることが可能であるかを検出し、電源がＯＦＦになるように制御する。
【００２９】
電源制御部３２は、ＨＤＭＩ−ＣＥＣ制御部３４の指示により、電子機器（ＢＤレコーダ）３０の電源がＯＮまたはＯＦＦとなるように制御する。また、電子機器（ＢＤレコーダ）３０の電源の変化（例えば、ＯＮからＯＦＦ、またはＯＦＦからＯＮ）を検出し、出力する。
【００３０】
アクティブ制御部３３は、後述するように、自機器である電子機器（ＢＤレコーダ）３０自身の状態がアクティブであるかインアクティブであるかを検出し、例えば制御部１１に構成される保持部（図示せず）に保持する。
【００３１】
電子機器（ＢＤレコーダ）３０は、これらのモード管理部３１、電源制御部３２、アクティブ制御部３３、ＨＤＭＩ−ＣＥＣ制御部３４を備えている。
これらは、例えば、上記図２で説明した電子機器（ＢＤレコーダ）３０の制御部１１に構成される。
そして、モード管理部３１はＨＤＭＩ−ＣＥＣ制御部３４に接続し、ＨＤＭＩ−ＣＥＣ制御部３４に向けて上記検出された動作モードを出力する。
電源制御部３２はＨＤＭＩ−ＣＥＣ制御部３４に接続され、ＨＤＭＩ−ＣＥＣ制御部３４から上記電子機器（ＢＤレコーダ）３０の電源を制御する信号が送信される。
【００３２】
また、アクティブ制御部３３はＨＤＭＩ−ＣＥＣ制御部３４と接続され、上記自機器のアクティブ状態（アクティブであるかインアクティブであるか）の検出結果をＨＤＭＩ−ＣＥＣ制御部３４に出力する。
【００３３】
図４は、実施形態に係わる電子機器（ＢＤレコーダ）のアクティブ制御部３３において、電子機器（ＢＤレコーダ）のアクティブ状態（アクティブ（Ａｃｔｉｖｅ）またはインアクティブ（Ｉｎａｃｔｉｖｅ））を検出する検出ルーチンの一例を説明する図である。
【００３４】
この実施の形態においては、上記図１に示すように、電子機器（ゲーム機）１８はＨＤＭＩケーブル１８ｂを介して、電子機器（ＢＤレコーダ）３０はＨＤＭＩケーブル３０ｂを介して、それぞれ電子機器（ＴＶ）１に接続されている。
【００３５】
そして、電子機器（ＴＶ）１、電子機器（ゲーム機）１８、電子機器（ＢＤレコーダ）３０は、上記ＨＤＭＩ−ＣＥＣ規格に準拠した関係で接続され、ＨＤＭＩ−ＣＥＣ信号を用いた通信を行う。
【００３６】
図４（ａ）は、例えば、図１に示す接続関係における電子機器（ＢＤレコーダ）のアクティブ状態（アクティブ（Ａｃｔｉｖｅ）またはインアクティブ（Ｉｎａｃｔｉｖｅ））を検出する検出ルーチンの一例を説明する図である。
【００３７】
ここでは、例えばリモコン２０を用いたユーザ操作によって、電子機器（ＴＶ）１の入力選択が電子機器（ＢＤレコーダ）３０に切り替えられる（符号４１）。
このとき、ＨＤＭＩ規格に則り、電子機器（ＴＶ）１から、アドレスを電子機器（ＢＤレコーダ）３０とした、符号４１ａを付した「RoutingChangeコマンド」または「SetStreamPathコマンド」が出力される。
【００３８】
このとき、電子機器（ＢＤレコーダ）３０は、この電子機器（ＢＤレコーダ）３０をアドレスとした「RoutingChangeコマンド」または「SetStreamPathコマンド」４１ａを受信し、上記アクティブ制御部３３において、電子機器（ＢＤレコーダ）３０がアクティブ（Ａｃｔｉｖｅ）であることを検出し、保持する。
【００３９】
このとき、電子機器（ＢＤレコーダ）３０はアクティブ（Ａｃｔｉｖｅ）であることが検出される。
図４（ｂ）は、同じく、図１に示す接続関係における電子機器（ＢＤレコーダ）のアクティブ状態（アクティブ（Ａｃｔｉｖｅ）またはインアクティブ（Ｉｎａｃｔｉｖｅ））を検出する検出ルーチンの一例を説明する図である。
【００４０】
ここでは、例えば、リモコン２０を用いたユーザ操作あるいは、電子機器（ＴＶ）１の図示しないリモコンを用いたユーザ操作によって、電子機器（ＴＶ）１のチューナで受信された映像が、電子機器（ＴＶ）１の図示しない映像表示部に表示される（符号４２）。
【００４１】
このとき、ＨＤＭＩ規格に則り、電子機器（ＴＶ）１から、電子機器（ＴＶ）１がアクティブ（Ａｃｔｉｖｅ）であることを示す、符号４２ａを付した「ActiveSourceコマンド」が出力される。
【００４２】
このとき、電子機器（ＢＤレコーダ）３０は、この電子機器（ＴＶ）１がアクティブ（Ａｃｔｉｖｅ）であることを示す、「ActiveSourceコマンド」４２ａを受信し、上記アクティブ制御部３３において、電子機器（ＴＶ）１がアクティブ（Ａｃｔｉｖｅ）であること、すなわち、電子機器（ＢＤレコーダ）３０はインアクティブ（Ｉｎａｃｔｉｖｅ）であることを検出し、保持する。
【００４３】
このとき、電子機器（ＢＤレコーダ）３０はインアクティブ（Ｉｎａｃｔｉｖｅ）であることが検出される。
なお、電子機器（ゲーム機）１８も同様に、電子機器（ＴＶ）１から出力された「ActiveSourceコマンド」４２ａを受信し、電子機器（ＴＶ）１がアクティブ（Ａｃｔｉｖｅ）であること、すなわち、電子機器（ゲーム機）１８はインアクティブ（Ｉｎａｃｔｉｖｅ）であることを検出することが可能である。
【００４４】
図４（ｃ）は、同じく、図１に示す接続関係における電子機器（ＢＤレコーダ）のアクティブ状態（アクティブ（Ａｃｔｉｖｅ）またはインアクティブ（Ｉｎａｃｔｉｖｅ））を検出する検出ルーチンの一例を説明する図である。
【００４５】
ＨＤＭＩ端子に接続された電子機器（ＢＤレコーダ）３０等、ソース機器がアクティブになった場合にはそのソース機器から「ActiveSourceコマンド」が出力される。このとき、電子機器（ＴＶ）１は「ActiveSourceコマンド」を受信した場合に、入力選択を「ActiveSourceコマンド」を送信した機器（ここでは電子機器（ＢＤレコーダ）３０）に切替える。
【００４６】
ここでは、例えば、リモコン２０を用いたユーザ操作によって、電子機器（ＢＤレコーダ）３０がアクティブにされる操作（例えば、電子機器（ＢＤレコーダ）３０のＢＤやＨＤＤに録画されたコンテンツの再生等）が行なわれる（符合４３）。
【００４７】
このとき、ＨＤＭＩ規格に則り、電子機器（ＢＤレコーダ）３０から、電子機器（ＢＤレコーダ）３０がアクティブ（Ａｃｔｉｖｅ）であることを示す、符号４３ａを付した「ActiveSourceコマンド」が出力される。
【００４８】
また、同様に、電子機器（ＢＤレコーダ）３０から、電子機器（ＢＤレコーダ）３０がアクティブ（Ａｃｔｉｖｅ）であることを示す、符号４３ａを付した「ActiveSourceコマンド」が出力される。
【００４９】
このとき、電子機器（ＢＤレコーダ）３０は、自身が出力した電子機器（ＢＤレコーダ）３０がアクティブ（Ａｃｔｉｖｅ）であることを示す、「ActiveSourceコマンド」４３ａを用い、上記アクティブ制御部３３において、電子機器（ＢＤレコーダ）３０がアクティブ（Ａｃｔｉｖｅ）であることを検出し、保持する。
【００５０】
このとき、電子機器（ＢＤレコーダ）３０はアクティブ（Ａｃｔｉｖｅ）であることが検出される。
また、このとき、電子機器（ＴＶ）１は「ActiveSourceコマンド」４３ａを受信し、入力選択を電子機器（ＢＤレコーダ）３０に切り替える（符号４４）。
【００５１】
図４（ｄ）は、同じく、図１に示す接続関係における電子機器（ＢＤレコーダ）のアクティブ状態（アクティブ（Ａｃｔｉｖｅ）またはインアクティブ（Ｉｎａｃｔｉｖｅ））を検出する検出ルーチンの一例を説明する図である。
【００５２】
ここでは、例えば、リモコン２０を用いたユーザ操作あるいは、図示しない電子機器（ＴＶ）１のリモコンを用いたユーザ操作によって、電子機器（ＴＶ）１の入力選択が電子機器（ゲーム機）１８に切り替えられる（符号４５）。
【００５３】
このとき、ＨＤＭＩ規格に則り、電子機器（ＴＶ）１から、アドレスを電子機器（ゲーム機）１８とした、符号４１ａを付した「RoutingChangeコマンド」または「SetStreamPathコマンド」が出力される。
【００５４】
このとき、電子機器（ＢＤレコーダ）３０は、この電子機器（ＢＤレコーダ）３０をアドレスとした「RoutingChangeコマンド」または「SetStreamPathコマンド」４１ａを受信し、上記アクティブ制御部３３において、電子機器（ゲーム機）１８がアクティブ（Ａｃｔｉｖｅ）であること、すなわち、電子機器（ＢＤレコーダ）３０はインアクティブ（Ｉｎａｃｔｉｖｅ）であることを検出し、保持する。
【００５５】
このとき、電子機器（ＢＤレコーダ）３０はインアクティブ（Ｉｎａｃｔｉｖｅ）であることが検出される。
すなわち、この実施の形態においては、アクティブ制御部３３は、電子機器（ＢＤレコーダ）３０がアクティブ（Ａｃｔｉｖｅ）状態かインアクティブ（Ｉｎａｃｔｉｖｅ）状態であるかを判断し、保持する。そして、例えば、電子機器（ＢＤレコーダ）３０の電源をＯＮにした場合とＢＤディスク再生を開始した場合にアクティブ（Ａｃｔｉｖｅ）状態として保持する。
【００５６】
また、上記のように、電子機器（ＴＶ）１から出力された「SetStreamPathコマンド」のアドレス（ここではアドレスは電子機器（ＢＤレコーダ）３０）が実際の電子機器（ＢＤレコーダ）３０のアドレスと一致した場合にアクティブ（Ａｃｔｉｖｅ）状態として保持する。
【００５７】
また、他の電子機器（例えば電子機器（ＴＶ）１）が「ActiveSourceコマンド」を出力した場合には、電子機器（ＢＤレコーダ）３０は、インアクティブ（Ｉｎａｃｔｉｖｅ）状態として保持する。
【００５８】
また、「SetStreamPathコマンド」のアドレス（アドレスは電子機器（ＢＤレコーダ）３０）が実際の電子機器（ＢＤレコーダ）３０のアドレスと一致しない場合に、インアクティブ（Ｉｎａｃｔｉｖｅ）状態として保持する。
【００５９】
また、例えば、電子機器（ＴＶ）１から出力された「RoutingChangeコマンド」のNewアドレスが実際の電子機器（ＢＤレコーダ）３０のアドレスと一致しない場合には、インアクティブ（Ｉｎａｃｔｉｖｅ）状態として保持する。
【００６０】
図５は、実施形態に係わる電子機器（ＢＤレコーダ）のアクティブ制御部３３におけるアクティブ状態（アクティブ（Ａｃｔｉｖｅ）またはインアクティブ（Ｉｎａｃｔｉｖｅ））の検出に係る処理を説明するフローチャートである。
【００６１】
符号Ｓ１００はここでの開始ステップである。続いて、ステップＳ１０１に進む。
ステップＳ１０１は、例えば、上記電源制御部３２において検出された、電子機器（ＢＤレコーダ）３０の電源は、ＯＦＦからＯＮに変化したかを判別するステップである。電子機器（ＢＤレコーダ）３０の電源は、ＯＦＦからＯＮに変化したと判別される場合はステップＳ１０４に進む（ステップＳ１０１のＹｅｓ）。電子機器（ＢＤレコーダ）３０の電源は、ＯＦＦからＯＮに変化しないと判別される場合はステップＳ１０２に進む（ステップＳ１０１のＮｏ）。
【００６２】
ステップＳ１０２は、例えば、上記モード管理部３１において、ＢＤディスクまたはＨＤＤの再生または録画動作を開始したかを検出し、判別するステップである。再生または録画動作を開始したと判別される場合はステップＳ１０４に進む（ステップＳ１０２のＹｅｓ）。再生または録画動作を開始したと判別されない場合はステップＳ１０３に進む（ステップＳ１０２のＮｏ）。
【００６３】
ステップＳ１０３は、例えば、上記図４（ａ）に示すように、電子機器（ＴＶ）１から送信された「SetStreamPathコマンド」のアドレス（ここではアドレスは電子機器（ＢＤレコーダ）３０）が実際の電子機器（ＢＤレコーダ）３０のアドレスと一致するかを判別するステップである。
【００６４】
電子機器（ＴＶ）１から送信された「SetStreamPathコマンド」のアドレスが実際の電子機器（ＢＤレコーダ）３０のアドレスと一致すると判別される場合はステップＳ１０４に進む（ステップＳ１０３のＹｅｓ）。電子機器（ＴＶ）１から送信された「SetStreamPathコマンド」のアドレスが実際の電子機器（ＢＤレコーダ）３０のアドレスと一致しないと判別される場合はステップＳ１０５に進む（ステップＳ１０４のＮｏ）。
【００６５】
ステップＳ１０４は、電子機器（ＢＤレコーダ）３０のアクティブ状態を”アクティブ（Ａｃｔｉｖｅ）”で保持するステップである。続いて、ステップＳ１０９に進む。
【００６６】
ステップＳ１０５は、ＴＶ１やゲーム機１８等、他の電子機器から出力された「ActiveSourceコマンド」を電子機器（ＢＤレコーダ）３０が受信したかを判別するステップである。
【００６７】
そして、ＴＶ１やゲーム機１８等、他の電子機器から出力された「ActiveSourceコマンド」を電子機器（ＢＤレコーダ）３０が受信したと判別される場合はステップＳ１０８に進む（ステップＳ１０５のＹｅｓ）。ＴＶ１やゲーム機１８等、他の電子機器から出力された「ActiveSourceコマンド」を電子機器（ＢＤレコーダ）３０が受信しないと判別される場合はステップＳ１０６に進む（ステップＳ１０５のＮｏ）。
【００６８】
ステップＳ１０６は、ＴＶ１から送信された「SetStreamPathコマンド」は実際の電子機器（ＢＤレコーダ）３０のアドレスとは一致しないかを判別するステップである。ＴＶ１から送信された「SetStreamPathコマンド」は実際の電子機器（ＢＤレコーダ）３０のアドレスとは一致しないと判別される場合はステップＳ１０８に進む（ステップＳ１０６のＹｅｓ）。ＴＶ１から送信された「SetStreamPathコマンド」は実際の電子機器（ＢＤレコーダ）３０のアドレスとは一致すると判別される場合はステップＳ１０７に進む（ステップＳ１０６のＮｏ）。
【００６９】
ステップＳ１０７は、ＴＶ１から送信された「RoutingChangeコマンド」のnewアドレスは、電子機器（ＢＤレコーダ）３０のアドレスとは一致しないかを判別するステップである。ＴＶ１から送信された「RoutingChangeコマンド」のnewアドレスは、電子機器（ＢＤレコーダ）３０のアドレスとは一致しないと判別される場合はステップＳ１０８に進む（ステップＳ１０７のＹｅｓ）。ＴＶ１から送信された「RoutingChangeコマンド」のnewアドレスは、電子機器（ＢＤレコーダ）３０のアドレスとは一致すると判別される場合はステップＳ１０９に進む（ステップＳ１０７のＮｏ）。
【００７０】
ステップＳ１０８は、電子機器（ＢＤレコーダ）３０のアクティブ状態を”インアクティブ”で保持するステップである。続いて、ステップＳ１０９に進む。
ステップＳ１０９は、終了ステップであり、ここでの処理は終了する。
この実施形態においては、上記のように電子機器（ＢＤレコーダ）３０のアクティブ状態（アクティブ（Ａｃｔｉｖｅ）またはインアクティブ（Ｉｎａｃｔｉｖｅ））を検出し、保持する。
【００７１】
図６は、実施形態に係わる電子機器（ＢＤレコーダ）の動作を説明するフローチャートである。
符号Ｓ２００はここでの開始ステップである。続いて、ステップＳ２０１へ進む。
ステップＳ２０１は、上記モード管理部３１が、録画媒体（ＢＤやＨＤＤ）への録画の終了を監視するステップである。ここでは、録画は、例えば、視聴番組の録画、予約録画、裏番組の録画（裏録）、ダビング録画等である。続いて、ステップＳ２０２へ進む。
【００７２】
ステップＳ２０２は、電子機器（ＢＤレコーダ）３０の動作中は電源をＯＦＦにできない動作、例えば録画処理動作は終了したかを判別するステップである。電子機器（ＢＤレコーダ）３０の動作中は電源をＯＦＦにできない動作は終了したと判別される場合は、ステップＳ２０３へ進む（Ｙｅｓ）。電子機器（ＢＤレコーダ）３０の動作中は電源をＯＦＦにできない動作は終了しないと判別される場合は、ここでの処理を繰り返す（Ｎｏ）。
【００７３】
ステップＳ２０３は、例えば、モード管理部３１が上記録画の終了を検出し、上記ＨＤＭＩ−ＣＥＣ制御部３４に向け、録画が終了した旨の通知を出力するステップである。続いて、ステップＳ２０４へ進む。
【００７４】
ステップＳ２０４は、上記ＨＤＭＩ−ＣＥＣ制御部３４は、上記録画終了通知を受信したかを判別するステップである。ＨＤＭＩ−ＣＥＣ制御部３４が、録画終了通知を受信したと判別される場合はステップＳ２０５へ進む（Ｙｅｓ）。ＨＤＭＩ−ＣＥＣ制御部３４が、録画終了通知を受信しないと判別される場合は、ここでの処理を繰り返す（Ｎｏ）。
【００７５】
ステップＳ２０５は、上記アクティブ制御部３３に保持されたアクティブ状態は”インアクティブ”であるかを判別するステップである。アクティブ制御部３３に保持されたアクティブ状態は”インアクティブ”であると判別される場合は、ステップＳ２０６へ進む（Ｙｅｓ）。アクティブ制御部３３に保持されたアクティブ状態は”インアクティブ”ではない（アクティブである）と判別される場合は、ここでの処理を繰り返す（Ｎｏ）。
【００７６】
ステップＳ２０６は、ＨＤＭＩ−ＣＥＣ制御部３４が電源制御部３２に向け、電子機器（ＢＤレコーダ）３０の電源をＯＦＦにする要求を通知するステップである。続いて、ステップＳ２０７へ進む。
【００７７】
ステップＳ２０７は、ＨＤＭＩ−ＣＥＣ制御部３４が電源制御部３２に向けて電子機器（ＢＤレコーダ）３０の電源をＯＦＦにする指示を出力し、電子機器（ＢＤレコーダ）３０の電源をＯＦＦにするステップである。続いて、ステップＳ２０８へ進む。
【００７８】
ステップＳ２０８は、終了ステップであり、ここでの処理は終了する。
すなわち、この実施の形態においては、上記モード管理部３１は、電子機器（ＢＤレコーダ）３０の録画もしくはダビング等の、電子機器（ＢＤレコーダ）３０の電源ＯＮを継続する必要があるモードが終了し、電源をＯＦＦにできる状態であることを上記ＨＤＭＩ−ＣＥＣ制御部３４に通知する。
【００７９】
また、このＨＤＭＩ−ＣＥＣ制御部３４は、上記アクティブ制御部３３から電子機器（ＢＤレコーダ）３０のアクティブ状態（アクティブ（Ａｃｔｉｖｅ）またはインアクティブ（Ｉｎａｃｔｉｖｅ））を取得する。
【００８０】
そして、電子機器（ＢＤレコーダ）３０がインアクティブ（Ｉｎａｃｔｉｖｅ）の状態の場合は、上記電源制御部３２に電子機器（ＢＤレコーダ）３０電源をＯＦＦにする要求を通知するようにする。
【００８１】
また、電子機器（ＢＤレコーダ）３０がアクティブ（Ａｃｔｉｖｅ）の状態の場合は、電子機器（ＢＤレコーダ）３０電源をＯＦＦにする要求は通知しないようにする。
【００８２】
図７は、他の実施形態に係わる電子機器（ＢＤレコーダ）の動作を説明するフローチャートである。
符号Ｓ３００は、ここでの開始ステップである。続いて、ステップＳ３０１へ進む。
ステップＳ３０１は、例えば、ＨＤＭＩ−ＣＥＣ制御部３４が、アクティブ制御部３３に保持されたアクティブ状態の変化を検出し、アクティブ制御部３３に保持された電子機器（ＢＤレコーダ）３０のアクティブ状態が、”アクティブ”から”インアクティブ”に変化したことを検出するステップである。続いて、ステップＳ３０２へ進む。
【００８３】
ステップＳ３０２は、アクティブ制御部３３に保持された電子機器（ＢＤレコーダ）３０のアクティブ状態は”インアクティブ”に変化したかを判別するステップである。電子機器（ＢＤレコーダ）３０のアクティブ状態が”インアクティブ”に変化したと判別される場合は、ステップＳ３０３へ進む（ステップＳ３０２のＹｅｓ）。電子機器（ＢＤレコーダ）３０のアクティブ状態が”インアクティブ”に変化しないと判別される場合は、ここでの処理を繰り返す（ステップＳ３０２のＮｏ）。
【００８４】
ステップＳ３０３は、電子機器（ＢＤレコーダ）３０の電源をＯＦＦにすることができない、例えば、「録画中」ではないような状態、すなわち、電子機器（ＢＤレコーダ）３０の電源をＯＦＦすることが可能な状態かを判別するステップである。電子機器（ＢＤレコーダ）３０の電源をＯＦＦすることが可能な状態であると判別される場合は、ステップＳ３０４へ進む（ステップＳ３０３のＹｅｓ）。電子機器（ＢＤレコーダ）３０の電源をＯＦＦすることが可能な状態ではないと判別される場合は、ここでの処理を繰り返す（ステップＳ３０３のＮｏ）。
【００８５】
ステップＳ３０４は、上記のように電子機器（ＢＤレコーダ）３０の電源をＯＦＦすることが可能な状態であると判別されてから、予め決めた時間経過したかを判別するステップである。
【００８６】
ここで、この予め決めた時間は、一例として、０秒間から３分間程度が好ましい。しかし、電子機器の使用状況は種々異なることが考えられることから、この３分間を超える長時間にすることも可能である。
【００８７】
そして、上記電子機器（ＢＤレコーダ）３０の電源をＯＦＦすることが可能な状態であると判別されてから、予め決めた時間経過したと判別される場合は、ステップＳ３０５へ進む（ステップＳ３０４のＹｅｓ）。電子機器（ＢＤレコーダ）３０の電源をＯＦＦすることが可能な状態であると判別されてから、予め決めた時間経過したと判別されない場合は、ここでの処理を繰り返す（ステップＳ３０４のＮｏ）。
【００８８】
ステップＳ３０５は、例えば、ＨＤＭＩ−ＣＥＣ制御部３４が、電源制御部３２に向け、電子機器（ＢＤレコーダ）３０の電源をＯＦＦにする要求を通知するステップである。続いて、ステップＳ３０６へ進む。
【００８９】
ステップＳ３０６は、この通知を受けた電源制御部３２が、電子機器（ＢＤレコーダ）３０の電源をＯＦＦにするように制御するステップである。続いて、ステップＳ３０７へ進む。
【００９０】
ステップＳ３０７は、終了ステップであり、ここでの処理は終了する。
この実施の形態においては、上記のように、ＨＩＤＭＩ−ＣＥＣ制御部３４は、電子機器（ＢＤレコーダ）３０がアクティブ（Ａｃｉｔｖｅ）状態からインアクティブ（Ｉｎａｃｔｉｖｅ）状態に変化したことを確認する。
【００９１】
また、電子機器（ＢＤレコーダ）３０がインアクティブ（Ｉｎａｃｔｉｖｅ）状態に変化したことを確認すると、電子機器（ＢＤレコーダ）３０の電源をＯＦＦにすることができないモード（例えば、録画やダビング等）であるか否かを確認する。
【００９２】
そして、電子機器（ＢＤレコーダ）３０の電源をＯＦＦにすることができるモードである場合は、上記予め決められた一定時間経過後に、電子機器（ＢＤレコーダ）３０の電源をＯＦＦにする要求を通知する。
【００９３】
上記のように、この実施の形態においては、例えば、接続されている他の電子機器から、電源ＯＦＦが可能である旨のコマンドが送信されている場合に、電源制御を適切に行い、電子機器（ＢＤレコーダ）３０の電力消費を低減することが可能になる。
【００９４】
また、この実施の形態においては、電子機器（ＢＤレコーダ）３０が、例えば、録画停止した場合やダビングを終了した場合に、上記のように電子機器（ＢＤレコーダ）３０がインアクティブ（Ｉｎｃｔｉｖｅ）状態であることを確認した上で、電子機器（ＢＤレコーダ）３０の電源がＯＦＦになるようにする。これによって、電子機器（ＢＤレコーダ）３０の電源を、確実にＯＦＦにすることが可能である。
【００９５】
しかも、例えば、ユーザが電子機器（ＢＤレコーダ）３０から出力される映像コンテンツをＴＶ１で視聴中（電子機器（ＢＤレコーダ）３０はアクティブ（Ａｃｔｉｖｅ）状態）の場合は、電子機器（ＢＤレコーダ）３０の電源をＯＮのまま継続することが可能になる。このため、ユーザの意思に反して電子機器（ＢＤレコーダ）３０電源がＯＦＦになってしまうことを防止することが可能となる。
【００９６】
すなわち、この実施の形態においては、電子機器（ＢＤレコーダ）３０から出力される映像コンテンツを視聴していない場合は、電子機器（ＢＤレコーダ）３０の電源ＯＮの継続が不要となったことを検出し、電子機器（ＢＤレコーダ）３０の電源をＯＦＦにすることが可能になる。このため、ユーザの利便性を向上させ、電子機器（ＢＤレコーダ）３０の消費電力を低減させることが可能になる。
【００９７】
また、他の実施の形態として、例えば、電子機器（ＢＤレコーダ）３０が、電子機器（ＢＤレコーダ）３０に接続された映像表示装置（ＴＶ）１が電源ＯＦＦまたはスタンバイ状態であるかを検出する状態検出部（図示せず）を備え、また、上記と同様に、電子機器（ＢＤレコーダ）３０の電源をＯＦＦにすることが可能であるかを検出し、電源をＯＦＦにすることが可能な場合に、映像表示装置（ＴＶ）１が電源ＯＦＦまたはスタンバイ状態に変化した場合に、自機器（電子機器（ＢＤレコーダ）３０）の電源をＯＦＦにするよう制御することが可能である。
【００９８】
また、他の実施の形態として、例えば、電子機器（ＢＤレコーダ）３０が、電子機器（ＢＤレコーダ）３０に接続された映像表示装置（ＴＶ）１が電源ＯＦＦまたはスタンバイ状態であるかを検出する状態検出部（図示せず）を備え、また、上記と同様に、電子機器（ＢＤレコーダ）３０の電源をＯＦＦにすることが可能であるかを検出し、電源をＯＦＦにすることが可能な状態に変化した場合に、映像表示装置（ＴＶ）１が電源ＯＦＦまたはスタンバイ状態である場合に、自機器（電子機器（ＢＤレコーダ）３０）の電源をＯＦＦにするよう制御することが可能である。
【００９９】
上記のように構成することによって、この発明の実施の形態においては、電源制御を適切に行い、電子機器（ＢＤレコーダ）３０の電力消費を低減することが可能になる。
【０１００】
なお、上記実施形態は、記述そのものに限定されるものではなく、実施段階では、その趣旨を逸脱しない範囲で、構成要素を種々変形して具体化することが可能である。
【符号の説明】
【０１０１】
１…電子機器（ＴＶ）、１７…ＨＤＭＩ端子、１８…電子機器（ゲーム機）、１８ｂ…ゲームコントローラ、３０…電子機器（ＢＤレコーダ）、３０ｂ…ＨＤＭＩケーブル、３１…モード管理部、３２…電源制御部、３３…アクティブ制御部、３４…ＨＤＭＩ−ＣＥＣ制御部。
【図１】
2012174060.tif 000003
【図２】
2012174060.tif 000004
【図３】
2012174060.tif 000005
【図４】
2012174060.tif 000006
【図５】
2012174060.tif 000007
【図６】
2012174060.tif 000008
【図７】
2012174060.tif 000009